(57)【要約】【課題】グループで共有される登録情報の未読者を該グループのメンバーに認識させる。【解決手段】サーバ（２）は、スケジュール詳細の提示対象のメンバーのうち、該スケジュール詳細が提示されていないメンバーを特定する未読者特定部（４１）と、特定されたメンバーを示す未提示者特定情報を上記グループのメンバーの端末装置（１）に表示させるスケジュール管理部（４０）と、を備えている。【選択図】図１
2015212854.tif 000002
【特許請求の範囲】
【請求項１】
予め登録された登録情報の提示対象として予め登録されたグループのメンバーのうち、上記登録情報が提示されていないメンバーを特定する未提示者特定手段と、
上記未提示者特定手段が特定したメンバーを示す未提示者特定情報を上記グループのメンバーの端末装置に出力させる出力制御手段と、を備えていることを特徴とする制御装置。
【請求項２】
上記出力制御手段は、上記未提示者特定手段が特定したメンバーを示し、該メンバーの少なくとも一人を上記登録情報に関するメッセージの送信先として指定するために用いることのできる送信先指定情報を上記端末装置に送信することにより、該端末装置に上記未提示者特定情報を出力させることを特徴とする請求項１に記載の制御装置。
【請求項３】
上記出力制御手段は、上記登録情報が提示されたメンバーを示す既提示者特定情報を上記グループのメンバーの端末装置に出力させることを特徴とする請求項１または２に記載の制御装置。
【請求項４】
上記端末装置から、上記登録情報に関するメッセージの送信先として選択されたメンバーが通知された場合に、上記グループのメンバーが閲覧可能な電子掲示板に上記メッセージを投稿することによって、該グループのメンバーに該メッセージを提示するメッセージ提示手段を備えていることを特徴とする請求項１から３の何れか１項に記載の制御装置。
【請求項５】
上記登録情報は、上記電子掲示板に投稿された情報であり、
上記メッセージ提示手段は、上記電子掲示板において、上記登録情報と連続して表示されるように、上記メッセージを投稿することを特徴とする請求項４に記載の制御装置。
【請求項６】
予め登録された登録情報の提示対象として予め登録されたグループのメンバーのうち、上記登録情報が提示されていないメンバーを示す未提示者特定情報を取得する未提示者取得手段と、
上記未提示者取得手段が取得した未提示者特定情報を出力する未提示者出力手段と、を備えていることを特徴とする端末装置。
【請求項７】
上記未提示者出力手段は、当該端末装置を使用するメンバーが、当該未提示者特定情報の示すメンバーの少なくとも一人を、上記登録情報に関するメッセージの送信先として選択できるように上記未提示者特定情報を表示することを特徴とする請求項６に記載の端末装置。
【請求項８】
上記未提示者出力手段が表示した未提示者特定情報が選択されたときに、該未提示者特定情報の示すメンバーの少なくとも一人に対する上記メッセージを、上記グループのメンバーが閲覧可能な電子掲示板に投稿する投稿手段を備えていることを特徴とする請求項７に記載の端末装置。
【請求項９】
制御装置により端末装置を制御する制御方法であって、
予め登録された登録情報の提示対象として予め登録されたグループのメンバーのうち、上記登録情報が提示されていないメンバーを特定する未提示者特定ステップと、
上記未提示者特定ステップにて特定したメンバーを示す未提示者特定情報を上記グループのメンバーの端末装置に出力させる出力制御ステップと、を含むことを特徴とする制御方法。
【請求項１０】
予め登録された登録情報の提示対象として予め登録されたグループのメンバーによって使用される端末装置と、
上記グループのメンバーのうち、上記登録情報が提示されていないメンバーを特定し、該特定したメンバーを示す未提示者特定情報を上記端末装置に出力させる制御装置と、を含むことを特徴とする制御システム。
【請求項１１】
請求項１から５の何れか１項に記載の制御装置としてコンピュータを機能させるための制御プログラムであって、コンピュータを上記各手段として機能させるための制御プログラム。
【請求項１２】
請求項６から８の何れか１項に記載の端末装置としてコンピュータを機能させるための制御プログラムであって、コンピュータを上記各手段として機能させるための制御プログラム。
【発明の詳細な説明】
【技術分野】
【０００１】
本発明は、予め登録された登録情報を所定のグループのメンバーに提示する情報提示システムに関する情報を表示させる制御装置等に関する。
【背景技術】
【０００２】
近時、人と人との情報伝達（コミュニケーション）のための様々な装置が使用されており、このような装置では、提示される情報が未読であるか、既読であるかを識別できるようなインターフェースが採用されている。例えば、個人単位でのコミュニケーションで使用される電子メールの送受信機能を備えた装置では、メール件名を太文字で表示したり、フォントサイズを変更したりすることにより、既読のメールと未読のメールとを識別可能に表示している。また、例えば、電子掲示板を閲覧するための装置では、「既読」のような文字や、記号、色等を用いて既読と未読とを識別可能に表示している。
【０００３】
さらに、グループ単位のコミュニケーションに用いられるインターフェースの従来技術として、例えば下記特許文献１が挙げられる。特許文献１の技術では、グループチャットに参加する各メンバーが送信したメッセージについて、そのメッセージの未読者の数を表示している。これにより、グループチャットの閲覧者に、各メッセージの未読者が何人であるかを認識させることができる。
【先行技術文献】
【特許文献】
【０００４】
【特許文献１】特表２０１３−５４１７７７号公報（２０１３年１１月１４日公表）
【発明の概要】
【発明が解決しようとする課題】
【０００５】
しかしながら、上記特許文献１の技術では、未読者の人数は認識させることはできるものの、誰が未読であるかを認識させることはできないという問題がある。これは、グループチャットに限られず、予め登録された登録情報を所定のグループのメンバーに提示する情報提示システムにおいて共通して生じる問題点である。また、上記従来の電子メール機能を備えた装置では、該装置の使用者が未読のメールと既読のメールとを識別できるのみであり、当該使用者以外の未読者を認識させることはできない。
【０００６】
本発明は、上記の問題点に鑑みてなされたものであり、その目的は、予め登録された登録情報を所定のグループのメンバーに提示する情報提示システムにおいて、登録情報の未提示者を、該グループのメンバーに容易に認識させることのできる制御装置等を提供することにある。
【課題を解決するための手段】
【０００７】
上記の課題を解決するために、本発明の一態様に係る制御装置は、予め登録された登録情報の提示対象として予め登録されたグループのメンバーのうち、上記登録情報が提示されていないメンバーを特定する未提示者特定手段と、上記未提示者特定手段が特定したメンバーを示す未提示者特定情報を上記グループのメンバーの端末装置に出力させる出力制御手段と、を備えている。
【０００８】
また、本発明の一態様に係る端末装置は、上記の課題を解決するために、予め登録された登録情報の提示対象として予め登録されたグループのメンバーのうち、上記登録情報が提示されていないメンバーを示す未提示者特定情報を取得する未提示者取得手段と、上記未提示取得手段が取得した未提示者特定情報を出力する未提示者出力手段と、を備えている。
【０００９】
そして、本発明の一態様に係る制御方法は、上記の課題を解決するために、制御装置により端末装置を制御する制御方法であって、予め登録された登録情報の提示対象として予め登録されたグループのメンバーのうち、上記登録情報が提示されていないメンバーを特定する未提示者特定ステップと、上記未提示者特定ステップにて特定したメンバーを示す未提示者特定情報を上記グループのメンバーの端末装置に出力させる出力制御ステップと、を含む。
【００１０】
さらに、本発明の一態様に係る情報提示システムは、上記の課題を解決するために、予め登録された登録情報の提示対象として予め登録されたグループのメンバーによって使用される端末装置と、上記グループのメンバーのうち、上記登録情報が提示されていないメンバーを特定し、該特定したメンバーを示す未提示者特定情報を上記端末装置に出力させる制御装置と、を含む。
【発明の効果】
【００１１】
本発明の上記各態様によれば、予め登録された登録情報を所定のグループのメンバーに提示する情報提示システムにおいて、登録情報の未提示者を該グループのメンバーに容易に認識させることができるという効果を奏する。
【図面の簡単な説明】
【００１２】
【図１】本発明の実施形態１に係る情報提示システムを構成する端末装置およびサーバの要部構成の一例を示すブロック図である。
【図２】スケジュールデータの一例を示す図である。
【図３】スケジュールの表示例を示す図であり、同図（ａ）はスケジュール一覧表示画面の一例を示し、同図（ｂ）はスケジュール詳細表示画面の一例を示す。
【図４】メッセージの表示例を示す図であり、同図（ａ）は登録者から未読者に向けたメッセージである閲覧要請メッセージの一例を示し、同図（ｂ）は既読者から登録者に向けたメッセージである閲覧報告メッセージの一例を示している。
【図５】スケジュール表示処理の一例を示すフローチャートである。
【図６】スケジュール送信処理の一例を示すフローチャートである。
【図７】メッセージ送信処理の一例を示すフローチャートである。
【図８】メッセージ登録処理の一例を示すフローチャートである。
【図９】本発明の実施形態２に係る端末装置が表示する画面例を示す図であり、同図（ａ）はメモの一覧表示画面の例であり、同図（ｂ）はメモの詳細表示画面例である。
【図１０】本発明の実施形態３に係る端末装置が表示する画面例を示す図であり、同図（ａ）はメッセージの一覧表示画面例であり、同図（ｂ）はメッセージの詳細表示画面例である。
【図１１】メッセージの表示例を示す図であり、同図（ａ）は閲覧要請メッセージの一例を示し、同図（ｂ）は閲覧報告メッセージの一例を示している。
【図１２】メッセージ登録処理の一例を示すフローチャートである。
【図１３】上記サーバまたは端末装置として利用可能なコンピュータの構成を例示したブロック図である。
【発明を実施するための形態】
【００１３】
〔実施形態１〕
以下、本発明の実施の形態について、詳細に説明する。まず、図１に基づいて本実施形態に係る情報提示システム３の構成を説明する。図１は、情報提示システム（制御システム）３を構成する端末装置１およびサーバ（制御装置）２の要部構成の一例を示すブロック図である。
【００１４】
情報提示システム３は、図示のように、端末装置１とサーバ２とがネットワークを介して通信可能に構成されたシステムであり、端末装置１はサーバ２にアクセスすることにより、サーバ２の提供するサービスを利用することができる。サーバ２の提供するサービスは、スケジュール管理サービス、電子掲示板サービス、および電子メモ管理サービスの３つであり、これらのサービスは何れも予め登録された登録情報を所定のグループのメンバーに提示するサービスである。なお、上記ネットワークは、端末装置１とサーバ２とが相互に通信可能なものであればよく、例えばインターネットであってもよい。また、図１では、端末装置１を１つのみ示しているが、複数の端末装置１にてサーバ２の提供するサービスを利用することができる。
【００１５】
端末装置１は、サーバ２の提供するサービスのユーザが、該サービスに登録された各種登録情報の閲覧等に使用する端末装置であり、スマートフォン等のような携帯型の端末装置であってもよいし、テレビやパソコン等の据え置き型の端末装置であってもよい。端末装置１は、端末制御部１０、端末記憶部１１、表示部１２、端末通信部１３、および入力部１４を備えている。表示部１２は、端末制御部１０の制御に従って画像を表示する表示装置である。また、端末通信部１３は、端末装置１が他の装置（ここではサーバ２）と通信するための通信装置である。そして、入力部１４は、端末装置１がユーザの入力操作を受け付ける入力装置である。
【００１６】
端末制御部１０は、端末装置１の動作を統括して制御するものであり、スケジュール制御部（未提示者取得手段、未提示者出力手段）２０、電子掲示板制御部（投稿手段）２１、およびメモ制御部２２を含む。また、端末記憶部１１は、端末装置１にて使用する各種データを格納する記憶装置であり、図示の端末記憶部１１には、候補メッセージ２３が格納されている。
【００１７】
スケジュール制御部２０は、端末装置１にてスケジュール管理サービスを利用するための制御を行う。具体的には、端末装置１からのスケジュールの登録の受け付け、端末装置１へのスケジュールの提示などの処理を行う。ここで、スケジュール制御部２０は、入力部１４にて受け付けたユーザ操作に基づき、スケジュールの詳細な内容（以下、スケジュール詳細と呼ぶ）をサーバ２から取得して、スケジュール詳細を示す画像を表示部１２に表示させる。詳細は後述するが、この画像には、スケジュールを共有するグループに予め登録されたメンバーのうち、当該スケジュール詳細を閲覧していない（サーバ２が当該スケジュール閲覧を提示していない）メンバーを示す未読者特定情報（未提示者特定情報）が含まれる。これにより、スケジュールの詳細表示画面から、そのスケジュールの未読者を容易に認識させることができる。
【００１８】
電子掲示板制御部２１は、端末装置１にて電子掲示板サービスを利用するための制御を行う。具体的には、端末装置１からのメッセージの投稿の受け付け、登録されたメッセージの端末装置１への提示などの処理を行う。また、電子掲示板制御部２１は、スケジュール制御部２０が表示させた未読者特定情報が選択されたときに、該未読者特定情報の示すメンバーへのメッセージを、上記電子掲示板に投稿させる。
【００１９】
メモ制御部２２は、端末装置１にて電子メモ管理サービスを利用するための制御を行う。具体的には、端末装置１からのメモの登録の受け付け、端末装置１へのメモの提示などの処理を行う。
【００２０】
候補メッセージ２３は、予め登録された定型のメッセージであり、スケジュール詳細の未読者向けのメッセージと、該スケジュールの登録者向けのメッセージとを含む。詳細は後述するが、ユーザが入力したメッセージや、定型のメッセージをユーザが編集したメッセージを候補メッセージ２３として記憶してもよい。
【００２１】
サーバ２は、上述の各サービス（スケジュール管理サービス、電子掲示板サービス、および電子メモ管理サービス）を端末装置１に提供するサーバであり、サーバ通信部３０、サーバ制御部３１、およびサーバ記憶部３２を備えている。
【００２２】
サーバ通信部３０は、サーバ２が他の装置（ここでは端末装置１）と通信するための通信装置である。また、サーバ制御部３１は、サーバ２の動作を統括して制御するものであり、スケジュール管理部（出力制御手段）４０、未読者特定部（未提示者特定手段）４１、電子掲示板管理部（メッセージ提示手段）４２、およびメモ管理部４３を含む。そして、サーバ記憶部３２は、サーバ２にて使用する各種データを格納する記憶装置であり、図示のサーバ記憶部３２には、スケジュールデータ４４および定型メッセージ４５が格納されている。
【００２３】
スケジュール管理部４０は、スケジュール管理サービスを提供するための制御を行う。具体的には、端末装置１が登録したスケジュールをスケジュールデータ４４に追加する処理や、端末装置１からの要求に応じて、スケジュールデータ４４から読み出したスケジュールの概要や詳細を示す情報を送信して表示させる処理等を行う。
【００２４】
未読者特定部４１は、当該サーバ２から登録情報の提示を受けていないメンバーを特定する。なお、ここでは、上記登録情報がスケジュール詳細である例を説明するが、登録情報は所定のグループのメンバーに提示する情報として予め登録された情報であればよく、この例に限られない。
【００２５】
電子掲示板管理部４２は、電子掲示板サービスを提供するための制御を行う。具体的には、端末装置１が登録したメッセージをサーバ記憶部３２に記録する処理や、端末装置１からの要求に応じてサーバ記憶部３２から読み出したメッセージを送信して表示させる処理等を行う。また、電子掲示板管理部４２は、未読者特定情報が選択されたときに、電子掲示板にメッセージを登録することにより、該未読者特定情報の示すメンバーにメッセージを提示する。
【００２６】
メモ管理部４３は、電子メモ管理サービスを提供するための制御を行う。具体的には、端末装置１が登録した電子メモ（以下、単にメモと略称する）をサーバ記憶部３２に記録する処理や、端末装置１からの要求に応じてサーバ記憶部３２から読み出したメモを送信して表示させる処理等を行う。
【００２７】
スケジュールデータ４４は、登録されたスケジュールを管理するためのデータであり、スケジュールデータ４４に基づいてスケジュール一覧およびスケジュール詳細が表示される。そして、定型メッセージ４５は、予め登録された定型のメッセージであり、スケジュール詳細の未読者向けのメッセージと、該スケジュールの登録者向けのメッセージとを含む。
【００２８】
〔スケジュールデータの例〕
次に、スケジュールデータ４４の具体例を図２に基づいて説明する。図２は、スケジュールデータ４４の一例を示す図である。図示のスケジュールデータ４４は、おうちＩＤ、ユーザＩＤ（送信先指定情報）、ユーザ名、スケジュールＩＤ、件名、詳細、および既読者特定情報が対応付けられたテーブル形式のデータである。
【００２９】
おうちＩＤは、スケジュールを共有するグループに割り当てられる識別情報であり、ユーザＩＤは、グループの各メンバーを識別する識別情報である。また、ユーザ名は、各メンバーに設定された名称である。図示の例では、ユーザＩＤが０００１〜０００５の５人について、ＡＡＡＡのおうちＩＤが対応付けられている。これにより、ユーザＩＤが０００１〜０００５の５人においてスケジュールは共有状態となり、これら５人は、各人が登録したスケジュールを相互に参照することができるようになる。
【００３０】
スケジュールＩＤは、各メンバーが登録したスケジュールのそれぞれに割り当てられる識別情報であり、件名は、各スケジュールに設定された項目名である。また、詳細は、各スケジュールに設定された情報であり、具体的には、スケジュールの開始時刻、終了時刻、通知タイミング、対象者（スケジュールを実行すべき者）、スケジュールの内容、およびスケジュールの実行場所を含む。なお、これらの他にも、スケジュールと共に登録された画像や音声を含んでいてもよい。
【００３１】
既読者特定情報は、スケジュールの詳細を閲覧したメンバーを特定する情報であり、図示の例では、既読者特定情報としてユーザＩＤを用いている。なお、既読者特定情報は、スケジュールの詳細が提示されたメンバーを示す情報であればこの例に限られず、例えば既読者特定情報としてユーザ名を用いてもよい。
【００３２】
〔スケジュールの表示例〕
次に、スケジュールの表示例を図３に基づいて説明する。図３は、スケジュールの表示例を示す図であり、同図（ａ）はスケジュール一覧表示画面の一例を示し、同図（ｂ）はスケジュール詳細表示画面の一例を示す。
【００３３】
同図（ａ）のスケジュール表示画面には、カレンダー表示領域５０と、スケジュール概要表示領域５１とが含まれている。カレンダー表示領域５０には、カレンダーが表示されており、該カレンダー上で所望の日付が選択されると、選択した日付のスケジュール概要がスケジュール概要表示領域５１に表示される。
【００３４】
図示の例では、２月１７日が選択されているので、スケジュール概要表示領域５１にはこの日のスケジュール概要が一覧表示されている。スケジュール概要としては、件名および開始時刻が表示されている。また、音声が登録されているスケジュールについては、そのことを示すマイク型のアイコンが表示されており、画像が登録されているスケジュールについては、そのことを示すアイコン（登録されている画像のサムネイルであってもよい）が表示されている。そして、スケジュール概要表示領域５１からスケジュールが選択されると、そのスケジュール詳細が表示される。
【００３５】
同図（ｂ）のスケジュール詳細表示画面には、当該スケジュールの登録者表示領域５２と、既読者表示領域５５と、未読者表示領域５６とが含まれる。また、登録された画像５３が表示されていると共に、登録された音声を再生するための再生キー５４が表示されている。
【００３６】
図示の例では、登録者表示領域５２には、当該スケジュールの登録者のユーザ名（お母さん）が表示されていると共に、該登録者のアバター（該メンバーを示すものとして予め登録された画像）が表示されている。登録者表示領域５２に表示されているアバターまたはユーザ名を選択することにより、当該スケジュールの詳細を確認したことを当該スケジュールの登録者に知らせるメッセージを電子掲示板に投稿することができる。
【００３７】
また、既読者表示領域５５には、既読者のアバター（既提示者特定情報）が表示されており、同様に、未読者表示領域５６には、未読者のアバター（未提示者特定情報）が表示されている。未読者表示領域５６に表示されているアバターを選択することにより、該アバターに対応するメンバーに、当該スケジュールの詳細を確認するように促すメッセージを電子掲示板に投稿することができる。同様に、既読者表示領域５５に表示されているアバターを選択することにより、当該スケジュールの詳細を確認したことを当該スケジュールの登録者に知らせるメッセージを電子掲示板に投稿することができる。
【００３８】
このように、詳細表示画面では、そのスケジュールの具体的な内容、登録者、画像、および音声の確認をすることができる。また、その詳細表示画面を、グループの各メンバー（同一のおうちＩＤが設定されたユーザ）のうち、誰が閲覧済みであり、誰が閲覧していないかを特定することができる。そして、投稿者、未読者、または既読者のアバターを選択することにより、投稿者または未読者宛のメッセージを電子掲示板に投稿することができる。
【００３９】
〔メッセージの表示例〕
続いて、既読者表示領域５５または未読者表示領域５６に表示されているアバターを選択することによって電子掲示板に投稿されるメッセージの表示例を図４に基づいて説明する。図４は、メッセージの表示例を示す図であり、同図（ａ）は登録者から未読者に向けたメッセージである閲覧要請メッセージの一例を示し、同図（ｂ）は既読者から登録者に向けたメッセージである閲覧報告メッセージの一例を示している。
【００４０】
同図（ａ）の表示例では、各メンバーのメッセージが時系列に並んでおり、このうち６０の番号で示されるメッセージが閲覧要請メッセージである。閲覧要請メッセージ６０は、他のメッセージと同様に、投稿者名、投稿者のアバター、投稿日時、およびメッセージ内容（メッセージ本文）を含む。
【００４１】
閲覧要請メッセージ６０の投稿者名および投稿者のアバターは、スケジュールの登録者を示し、メッセージ内容に含まれる「花子」は、当該スケジュールの未読者である。また、閲覧要請メッセージ６０のメッセージ内容には、閲覧して欲しい対象（未読の情報）を示す情報として「スケジュール」の語が含まれている。これにより、「お母さん」は、「花子」に「スケジュール」の閲覧を促すことができる。
【００４２】
また、同図（ｂ）の表示例では、同図（ａ）のメッセージに加えて、閲覧報告メッセージ６１が表示されている。閲覧報告メッセージ６１の投稿者名および投稿者のアバターは、スケジュールの閲覧者（既読者）を示し、メッセージ内容に含まれる「お母さん」は、当該スケジュールの登録者である。また、閲覧報告メッセージ６１のメッセージ内容には、閲覧した対象（既読の情報）を示す情報として「スケジュール」の語が含まれている。これにより、「花子」は、「お母さん」に「スケジュール」を閲覧したことを知らせることができる。
【００４３】
〔スケジュール表示処理〕
次に、端末装置１がスケジュール一覧およびスケジュール詳細を表示するスケジュール表示処理について、図５に基づいて説明する。図５は、スケジュール表示処理の一例を示すフローチャートである。
【００４４】
入力部１４を介してスケジュール一覧を表示させる指示が入力されると、スケジュール制御部２０は、端末通信部１３を介してサーバ２からスケジュール概要を取得し、スケジュール一覧をカレンダーと共に表示部１２に表示させる（Ｓ１）。具体的には、ユーザＩＤをサーバ２に通知することにより、そのユーザＩＤに対応するおうちＩＤの各スケジュールのスケジュール概要を取得し、この情報に基づいて表示を行う。なお、スケジュール一覧とカレンダーを含む画像は、サーバ２から受信した情報を用いてスケジュール制御部２０が生成してよいし、サーバ２で生成してもよい。サーバ２で生成する場合、スケジュール制御部２０は当該画像をサーバ２から受信して表示すればよい。
【００４５】
次に、上記画像を表示させたスケジュール制御部２０は、表示させた画像中のスケジュールの選択を待ち受ける（Ｓ２）。ここで、スケジュールが選択されずに、スケジュール一覧の表示を終了する操作が行われた場合（Ｓ２でＮＯ）、スケジュール表示処理は終了する。
【００４６】
一方、スケジュールが選択された場合（Ｓ２でＹＥＳ）、スケジュール制御部２０は、サーバ２に対し、スケジュールの選択者のユーザＩＤおよびスケジュールＩＤを通知して、スケジュール詳細の送信を要求する（Ｓ３）。そして、スケジュール制御部２０は、上記送信要求に応じてサーバ２が送信したスケジュール詳細、未読者特定情報および既読者特定情報（アバターの画像）を受信して表示部１２に表示させる（Ｓ４）。また、図示していないが、未読者のユーザＩＤ（送信先指定情報）および既読者のユーザＩＤ（送信先指定情報）をサーバ２から受信する。これらの送信先指定情報は、電子掲示板へのメッセージの投稿の際に、メッセージの送信先を指定するために使用される。これにより、スケジュール表示処理は終了する。
【００４７】
なお、図３に基づいて説明したように、未読者特定情報は、当該未提示者特定情報の示すメンバーの少なくとも一人を、当該スケジュールに関するメッセージの送信先として選択できるように表示することが好ましい。既読者特定情報についても同様である。また、未読者特定情報として未読者のユーザＩＤやユーザ名を表示し、既読者特定情報として既読者のユーザＩＤやユーザ名を表示してもよい。また、端末装置１が各メンバーのアバターの画像を管理している場合、サーバから未読者または既読者のユーザＩＤの通知を受けて、該ユーザＩＤに対応するアバターの画像を表示させてもよい。
【００４８】
〔スケジュール送信処理〕
次に、サーバ２が端末装置１の要求に従ってスケジュールに関する情報を送信するスケジュール送信処理（制御方法）について、図６に基づいて説明する。図６は、スケジュール送信処理の一例を示すフローチャートである。
【００４９】
端末装置１からスケジュール概要の送信要求を受信すると、スケジュール管理部４０は、サーバ記憶部３２から読み出したスケジュールデータ４４から、要求されたスケジュール概要を抽出し、端末装置１に送信する（Ｓ１１）。具体的には、スケジュールデータ４４から、スケジュール概要の送信要求と共に受信したユーザＩＤに対応するおうちＩＤを特定し、次にそのおうちＩＤに対応付けられたスケジュールを特定する。そして、該スケジュールに対応付けられたスケジュール概要を抽出して送信する。
【００５０】
次に、スケジュール概要を送信したスケジュール管理部４０は、スケジュールの選択を待ち受ける（Ｓ１２）。ここで、所定時間内にスケジュールが選択されない場合（Ｓ１２でＮＯ）、スケジュール送信処理は終了する。なお、上述のように、端末装置１にてスケジュールが選択されると、選択されたスケジュールのスケジュールＩＤと、選択者のユーザＩＤがサーバ２に送信されるので、これらの情報の受信の有無から、スケジュールの選択の有無を判断することができる。
【００５１】
スケジュールが選択された場合（Ｓ１２でＹＥＳ）、スケジュール管理部４０は、該スケジュールを選択したメンバーのユーザＩＤを、該スケジュールの既読者のユーザＩＤとしてスケジュールデータ４４に追加する（Ｓ１３）。また、スケジュール管理部４０は、ユーザＩＤを追加した後のスケジュールデータ４４を参照して、当該スケジュールの既読者を特定する（Ｓ１４）。さらに、スケジュール管理部４０は、Ｓ１２で選択が確認されたスケジュールのスケジュールＩＤを未読者特定部４１に通知する。
【００５２】
スケジュールＩＤを通知された未読者特定部４１は、当該スケジュールの未読者を特定し（Ｓ１５、未提示者特定ステップ）、特定した未読者を示す未読者特定情報をスケジュール管理部４０に通知する。具体的には、未読者特定部４１は、当該スケジュールＩＤに対応付けられたおうちＩＤを特定し、さらに該おうちＩＤに対応付けられた全ユーザＩＤを特定する。そして、該特定した全ユーザＩＤのうち、既読者特定情報に含まれるユーザＩＤを除いたユーザＩＤを未読者特定情報としてスケジュール管理部４０に通知する。
【００５３】
最後に、スケジュール管理部４０は、選択されたスケジュールのスケジュール詳細、既読者のユーザＩＤ（送信先指定情報）、該ユーザＩＤに対応するアバターの画像（既読者特定情報）、未読者特定部４１から通知された未読者のユーザＩＤ（送信先指定情報）、および該ユーザＩＤに対応するアバターの画像（未読者特定情報）を端末装置１に送信し（Ｓ１６、出力制御ステップ）、スケジュール送信処理を終了する。これにより、未読者特定情報を端末装置１に出力させることができる。
【００５４】
〔メッセージ送信処理〕
次に、端末装置１がスケジュールの未読者または登録者宛のメッセージをサーバ２に送信するメッセージ送信処理について、図７に基づいて説明する。図７は、メッセージ送信処理の一例を示すフローチャートである。なお、メッセージ送信処理は、図５のＳ４にて、スケジュール詳細、未読者特定情報、および既読者特定情報を表示した後に行われる処理である。
【００５５】
スケジュール詳細、未読者特定情報、および既読者特定情報を表示部１２に表示させたスケジュール管理部は、その旨を電子掲示板制御部２１に通知し、これにより電子掲示板制御部２１は、未読者特定情報および既読者特定情報の選択待ち状態となる（Ｓ２１）。ここで、未読者特定情報および既読者特定情報の何れも選択されずに、スケジュール詳細の表示を終了する操作が行われた場合（Ｓ２１でＮＯ）、メッセージ送信処理は終了する。
【００５６】
一方、未読者特定情報または既読者特定情報が選択された場合（Ｓ２１でＹＥＳ）、電子掲示板制御部２１は、候補メッセージからメッセージを選択するか否かを判断する（Ｓ２２）。例えば、候補メッセージからメッセージを選択するための選択肢を表示部１２に表示させ、この選択肢が選択されたときに、候補メッセージからメッセージを選択すると判断してもよい。
【００５７】
ここで、候補メッセージからメッセージを選択しないと判断した場合（Ｓ２２でＮＯ）、電子掲示板制御部２１は、サーバ２に対し、選択された既読者または未読者のユーザＩＤを通知して（Ｓ２７）メッセージ送信処理を終了する。詳細は後述するが、この場合には、サーバ２がメッセージを決定して、選択された既読者または未読者に応じた投稿を行う。
【００５８】
一方、候補メッセージからメッセージを選択すると判断した場合（Ｓ２２でＹＥＳ）、電子掲示板制御部２１は、端末記憶部１１から候補メッセージ２３を読み出して表示部１２に表示させ、選択を受け付ける（Ｓ２３）。なお、未読者特定情報が選択された場合には、未読者向けの候補メッセージ２３を読み出し、既読者特定情報が選択された場合には、スケジュールの登録者向けの候補メッセージ２３を読み出す。
【００５９】
続いて、電子掲示板制御部２１は、候補メッセージを編集するか否かを判断する（Ｓ２４）。例えば、候補メッセージの編集を開始するためのボタンを表示部１２に表示させ、このボタンが選択されたときに、候補メッセージを編集すると判断してもよい。
【００６０】
ここで、候補メッセージを編集しないと判断した場合（Ｓ２４でＮＯ）、Ｓ２５の処理は行わずにＳ２６に進む。一方、候補メッセージを編集すると判断した場合（Ｓ２４でＹＥＳ）、電子掲示板制御部２１は、候補メッセージの編集操作を受け付け、編集後のメッセージを保存して（Ｓ２５）、Ｓ２６に進む。なお、保存したメッセージは、候補メッセージの１つとしてメンバーが選択可能となる。
【００６１】
Ｓ２６では、電子掲示板制御部２１は、サーバ２に対し、選択された既読者または未読者のユーザＩＤを通知すると共に、Ｓ２３で選択を受け付けた候補メッセージまたはＳ２５で保存されたメッセージを送信して、メッセージ送信処理を終了する。これにより、当該メッセージが電子掲示板に投稿される。
【００６２】
なお、上記の例では、候補メッセージ２３からメッセージを選択させる例を説明したが、メッセージをユーザに入力させる構成としてもよい。また、例えば候補メッセージ２３を用いずに新たにメッセージを作成するためのボタンを表示して、そのボタンが選択された場合に、メッセージをユーザに入力させてもよい。さらに、候補メッセージ２３が複数ある場合には、それらの使用履歴を記録しておき、使用頻度の高いメッセージを優先表示してもよい。
【００６３】
また、スケジュールの登録者のアバターやユーザ名が選択された場合にも、上記の例における既読者特定情報が選択された場合と同様に、スケジュールの登録者向けの候補メッセージ２３をサーバ２に送信して電子掲示板に投稿させてもよい。この場合、登録者のユーザＩＤと、当該登録者を選択したメンバーのユーザＩＤと、メッセージと、をサーバ２に通知すればよい。
【００６４】
〔メッセージ登録処理〕
次に、端末装置１から受信したメッセージをサーバ２が電子掲示板に登録するメッセージ登録処理について、図８に基づいて説明する。図８は、メッセージ登録処理の一例を示すフローチャートである。なお、メッセージ登録処理は、図６のＳ１６にて、スケジュール詳細、未読者特定情報、および既読者特定情報を送信した後に行われる処理である。
【００６５】
スケジュール詳細、未読者特定情報、および既読者特定情報を送信したスケジュール管理部４０は、当該スケジュールのスケジュールＩＤを電子掲示板管理部４２に通知する。これにより、電子掲示板管理部４２は、当該スケジュールの既読者または未読者のユーザＩＤの通知待ち状態となる（Ｓ３１）。
【００６６】
ここで、所定時間内に既読者または未読者のユーザＩＤの通知が確認できない場合（Ｓ３１でＮＯ）、メッセージ登録処理は終了する。一方、既読者または未読者のユーザＩＤの通知が確認された場合（Ｓ３１でＹＥＳ）、メッセージを受信したか確認し（Ｓ３２）、受信していれば（Ｓ３２でＹＥＳ）Ｓ３４の処理に進み、受信していなければ（Ｓ３２でＮＯ）Ｓ３３の処理に進む。
【００６７】
Ｓ３３では、電子掲示板管理部４２は、定型メッセージ４５を参照して、既読者のユーザＩＤが通知されたか、未読者のユーザＩＤが通知されたかに応じた定型メッセージを抽出し、Ｓ３４の処理に進む。具体的には、既読者のユーザＩＤが通知された場合には、図４（ｂ）の閲覧報告メッセージ６１のようなスケジュールの登録者向けのメッセージを抽出する。また、未読者のユーザＩＤが通知された場合には、図４（ａ）の閲覧要請メッセージ６０のような未読者向けのメッセージを抽出する。
【００６８】
なお、通知されたユーザＩＤが既読者のものであるか未読者のものであるかは、スケジュール管理部４０から通知されたスケジュールＩＤと、スケジュールデータ４４とに基づいて判断することができる。具体的には、端末装置１から通知されたユーザＩＤが、スケジュールデータ４４の既読者特定情報に含まれるユーザＩＤと一致すれば通知先が既読者であると特定し、一致しなければ通知先が未読者であると特定することができる。また、通知されたユーザＩＤが、当該スケジュールの登録者のユーザＩＤと一致した場合、通知先が当該登録者であると特定してもよい。
【００６９】
Ｓ３４では、電子掲示板管理部４２は、メッセージの通知元（投稿者）を何れのメンバーとするかを決定する。具体的には、既読者のユーザＩＤが通知された場合、当該既読者を通知元と特定する。一方、未読者のユーザＩＤが通知された場合、スケジュールデータ４４を参照して特定した当該スケジュールの登録者を通知元と特定する。また、登録者を選択したメンバーのユーザＩＤが通知された場合、当該ユーザＩＤのメンバーを通知元と決定してもよい。
【００７０】
続いて、電子掲示板管理部４２は、メッセージの通知先を特定し、特定した通知先を示す情報を含むメッセージを、Ｓ３４にて特定した通知元からの投稿として電子掲示板に登録する。これにより、電子掲示板にて当該メッセージが閲覧可能となり、メッセージ登録処理は終了する。
【００７１】
なお、既読者のユーザＩＤが通知された場合には、スケジュールデータ４４を参照して特定した当該スケジュールの登録者を通知先と特定し、未読者のユーザＩＤが通知された場合には、当該未読者を通知先と特定する。また、通知先を示す情報は、通知先のメンバーが特定できるような情報であればよく、例えば図４の「お母さんへ」や「花子へ」のようなユーザ名を含むテキストであってもよい。
【００７２】
また、登録するメッセージは、Ｓ３２にて受信が確認されたメッセージ、またはＳ３３で決定したメッセージである。また、通知先を示す情報は、端末装置１で生成してもよく、この場合、通知先を示す情報を含むメッセージをサーバ２に送信する。さらに、通知元についても、端末装置１で決定してサーバ２に通知するようにしてもよい。つまり、通知元、メッセージ、および通知先の全てを端末装置１で決定し、完成された投稿メッセージを生成して、サーバ２に送信してもよい。
【００７３】
〔実施形態２〕
本発明の他の実施形態について、図９に基づいて説明すれば、以下のとおりである。なお、説明の便宜上、前記実施形態にて説明した部材と同じ機能を有する部材については、同じ符号を付記し、その説明を省略する。本実施形態では、所定のグループのメンバーに提示する情報として予め登録された登録情報が電子メモ（以下、単にメモと略称する）の詳細である例を説明する。
【００７４】
図９は、本実施形態の端末装置１が表示する画面例を示す図であり、同図（ａ）はメモの一覧表示画面の例であり、同図（ｂ）はメモの詳細表示画面例である。同図（ａ）に示す一覧表示画面では、登録された各メモのタイトルが一覧表示されている。また、音声が登録されているメモについては、そのことを示すマイク型のアイコンが表示されており、画像が登録されているメモについては、そのことを示すアイコンが表示されている。そして、一覧表示されたメモが選択されると、そのメモの詳細が表示される。
【００７５】
同図（ｂ）の詳細表示画面には、当該メモの登録者表示領域５２と、既読者表示領域５５と、未読者表示領域５６とが含まれる。また、登録された画像、登録された音声を再生するための再生キー、および登録された位置を示す情報が表示される。
【００７６】
図示の例では、登録者表示領域５２には、ユーザ名（お母さん）が表示されていると共に、該メンバーのアバターが表示されている。また、既読者表示領域５５には、既読者のアバターが表示されており、同様に、未読者表示領域５６には、未読者のアバターが表示されている。
【００７７】
このように、詳細表示画面では、メモの具体的な内容、登録者、画像、および音声等の確認をすることができる。また、グループの各メンバー（同一のおうちＩＤが設定されたメンバー）のうち、その詳細表示画面を誰が閲覧済みであり、誰が閲覧していないかを特定することができる。なお、これらの表示画面は、上記実施形態のスケジュールデータ４４と同様のデータ構造にて登録されたメモを管理することによって表示させることが可能である。
【００７８】
さらに、未読者表示領域５６に表示されているアバターを選択することにより、該アバターに対応するメンバーに、当該メモの詳細を確認するように促すメッセージを投稿することができる。同様に、登録者表示領域５２または既読者表示領域５５に表示されているアバターを選択することにより、当該メモの詳細を確認したことを当該メモの登録者に知らせるメッセージを投稿することができる。
【００７９】
なお、本実施形態における処理は、上記実施形態と概ね同様である。すなわち、メモ制御部（未提示者取得手段、未提示者出力手段）２２が、スケジュール制御部２０と同様の処理（図５のスケジュール表示処理と同様の処理）を実行する。また、メモ管理部（出力制御手段）４３が、スケジュール管理部４０と同様の処理（図６のスケジュール送信処理と同様の処理）を実行する。これによって、図９の（ａ）（ｂ）に示したような画面が表示される。また、図７のメッセージ送信処理および図８のメッセージ登録処理により、メモの登録者または未読者に対するメッセージを投稿して、図４の（ａ）（ｂ）のような画面を表示させることができる。なお、本実施形態では、メモが対象であるから、閲覧要請メッセージ６０には「メモ」の閲覧を要請するテキストを含め、閲覧報告メッセージ６１には「メモ」を閲覧したことを示すテキストを含める。
【００８０】
〔実施形態３〕
本発明の他の実施形態について、図１０から図１２に基づいて説明すれば、以下のとおりである。なお、説明の便宜上、前記実施形態にて説明した部材と同じ機能を有する部材については、同じ符号を付記し、その説明を省略する。本実施形態では、所定のグループのメンバーに提示する情報として予め登録された登録情報が電子掲示板に投稿されたメッセージである例を説明する。本例では、電子掲示板制御部２１が未提示者取得手段および未提示者出力手段として機能する。また、電子掲示板管理部４２が、出力制御手段として機能する。
【００８１】
図１０は、本実施形態の端末装置１が表示する画面例を示す図であり、同図（ａ）はメッセージの一覧表示画面例であり、同図（ｂ）はメッセージの詳細表示画面例である。同図（ａ）に示す一覧表示画面では、登録された各メッセージが、最新のものから順に時系列で表示されている。そして、表示されているメッセージが選択されると、そのメッセージの詳細が表示される。
【００８２】
同図（ｂ）のメッセージ詳細表示画面には、当該メッセージの登録者表示領域５２と、既読者表示領域５５と、未読者表示領域５６とが含まれる。また、登録された画像が表示されていると共に、登録された音声を再生するための再生キーが表示されている。
【００８３】
上記各実施形態と同様に、未読者表示領域５６に表示されているアバターを選択することにより、該アバターに対応するメンバーに、当該メッセージを確認するように促すメッセージを投稿することができる。同様に、登録者表示領域５２または既読者表示領域５５に表示されているアバターを選択することにより、当該メッセージを確認したことを当該メッセージの登録者に知らせるメッセージを投稿することができる。
【００８４】
なお、この例に限られないが、電子掲示板に登録されたメッセージは、そのメッセージの詳細表示画面を表示させたとき（同図（ｂ）の表示が行われたとき）ではなく、そのメッセージを表示させたとき（同図（ａ）の表示が行われたとき）に既読とする。また、上記のような表示は、図２のスケジュールデータ４４と同様の構造の、メッセージを表示させるためのデータを参照することによって実現可能である。
【００８５】
〔メッセージの表示例〕
続いて、既読者表示領域５５または未読者表示領域５６に表示されているアバターを選択することによって投稿されるメッセージの表示例を図１１に基づいて説明する。図１１は、メッセージの表示例を示す図であり、同図（ａ）は閲覧要請メッセージの一例を示し、同図（ｂ）は閲覧報告メッセージの一例を示している。
【００８６】
同図（ａ）の表示例では、対象となったメッセージ（その詳細表示画面から未読者のアバターが選択されたメッセージ）である対象メッセージ６２に続いて、閲覧要請メッセージ６０が表示されている。閲覧要請メッセージ６０のメッセージ内容は、対象メッセージ６２の未読者である「花子」に閲覧を要請するものとなっている。これにより、「お母さん」は、「花子」に対象メッセージ６２の閲覧を促すことができる。
【００８７】
また、同図（ｂ）の表示例では、同図（ａ）のメッセージに加えて、閲覧報告メッセージ６１が表示されている。閲覧報告メッセージ６１の投稿者名および投稿者のアバターは、対象メッセージ６２の閲覧者（既読者）を示し、メッセージ内容に含まれる「お母さん」は、対象メッセージ６２の登録者（投稿者）である。これにより、「花子」は、「お母さん」に対象メッセージ６２を閲覧したことを知らせることができる。
【００８８】
〔メッセージ登録処理〕
次に、メッセージ登録処理について、図１２に基づいて説明する。図１２は、メッセージ登録処理の一例を示すフローチャートである。なお、図８のメッセージ登録処理と同じ処理には同一のステップ番号を付し、その説明を省略する。
【００８９】
Ｓ３４にて通知元（投稿者）を決定した電子掲示板管理部４２は、直前に投稿されたメッセージが対象メッセージであるか判断する（Ｓ４０）。なお、対象メッセージであるか否かは、端末装置１から対象メッセージの識別情報を取得することで判断することができる。
【００９０】
ここで、直前に投稿されたメッセージが対象メッセージであれば（Ｓ４０でＹＥＳ）、Ｓ４１の処理はスキップしてＳ３５の処理に進む。一方、対象メッセージではなければ（Ｓ４０でＮＯ）、電子掲示板管理部４２は、対象メッセージの再登録を行う（Ｓ４１）。この後、Ｓ３５の処理に進んでメッセージ（閲覧要請メッセージまたは閲覧報告メッセージ）を登録する。これにより、対象メッセージと、閲覧要請メッセージまたは閲覧報告メッセージとが連続して表示されるので、何れのメッセージの閲覧を要請しているのか、あるいは何れのメッセージの閲覧を報告しているのかを容易に認識させることができる。
【００９１】
なお、閲覧要請メッセージまたは閲覧報告メッセージを先に登録し、その後で対象メッセージを登録してもよい。また、例えば引用形式で閲覧要請メッセージまたは閲覧報告メッセージに含めることによって、対象メッセージの内容を認識させてもよい。この他、対象メッセージの位置から表示させることによって、対象メッセージの内容を認識させてもよい。
【００９２】
〔実施形態４〕
上記各実施形態では、サーバ２が未読者を特定する例を説明したが、端末装置１が未読者を特定してもよい。この場合、端末装置１に未読者特定部４１を設け、未読者特定部４１は、サーバ２に対して、既読者特定情報および未読者特定情報の少なくとも何れかの送信を要求し、該要求によって得た情報から、未読者および既読者を特定すればよい。このような構成であっても、上記各実施形態と同様の表示を実現できる。
【００９３】
〔変形例〕
上記各実施形態では、１つのサーバ２を用いる例を説明したが、サーバ２の有する各機能が、個別のサーバにて実現されていてもよい。例えば、スケジュール管理サービス、電子掲示板サービス、および電子メモ管理サービスのそれぞれが個別のサーバによって提供されてもよい。また、未読者を特定する機能および未読者特定情報（未提示者特定情報）を表示させる機能のそれぞれが個別のサーバによって提供されてもよい。つまり、未提示者を特定する未提示者特定装置と、未提示者特定情報を表示させる表示制御装置とを含む情報提示システムであっても、上記情報提示システム３と同様の機能を実現できる。そして、これらの場合、各サーバは、同じ事業者によって管理されていてもよいし、異なる事業者によって管理されていてもよい。
【００９４】
上記各実施形態では、スケジュール詳細、メモ詳細、およびメッセージ詳細の表示画面において、未読者特定情報（未読者のアバター）および既読者特定情報（既読者のアバター）を表示する例を説明した。しかしながら、未読者特定情報および既読者特定情報のメンバーへの提示方法はこれらの例に限られない。例えば、スケジュール一覧、メモ一覧、およびメッセージ一覧の表示画面において、未読者特定情報および既読者特定情報を表示してもよい。この場合、複数のスケジュール、メモ、またはメッセージについて、既読者と未読者を一度に確認することができる。ただし、この場合、同時に表示される情報が多くなって表示内容が煩雑になる可能性があるので、未読者特定情報および既読者特定情報の表示／非表示をユーザ操作にて切り替え可能にすることが好ましい。また、必ずしも未読者特定情報および既読者特定情報の両方を表示させる必要はなく、未読者特定情報のみを表示させてもよい。
【００９５】
また、上記各実施形態では、未読者特定情報が未読者のアバターであり、既読者特定情報が既読者のアバターである例を示した。しかしながら、未読者特定情報は未読者が誰であるかを、既読者特定情報は既読者が誰であるかを、メンバーがそれぞれ認識できるような情報であればよく、この例に限られない。例えば、ユーザ名やユーザＩＤを未読者特定情報および既読者特定情報として用いてもよい。また、未読者特定情報および既読者特定情報のメンバーへの提示態様は、上記各実施形態に示した表示出力に限られず、音声出力等であってもよい。
【００９６】
また、スケジュール一覧、メモ一覧、またはメッセージ一覧を表示させる際に、既読であるか未読であるかを識別可能に表示してもよい。例えば、文字の太さ、フォントサイズ、文字色、文字色の濃淡、文字の点滅回数や点滅パターン、「既読」「未読」等の文字または画像、アニメーション等によって、既読の情報と未読の情報とを識別表示することができる。この他にも、端末装置１の備えるランプやスピーカ等のデバイスを用いて、既読の情報と未読の情報とをメンバーに認識させることも可能である。
【００９７】
さらに、上記各実施形態では、未読者向けのメッセージおよび登録者向けのメッセージを電子掲示板に投稿することによって、未読者または登録者に該メッセージを通知する例を示した。しかしながら、メッセージの通知は、該メッセージを未読者または登録者に提示可能な態様で行われればよく、この例に限られない。例えば、各メンバーの通知先（メールアドレス等）を予め登録しておき、該通知先にメッセージを送信することによって通知してもよい。また、電子掲示板への投稿によって通知する場合に、通知先のメンバーのみが閲覧できるように、閲覧者を指定してもよい。この場合、サーバ２は、指定された閲覧者から電子掲示板のメッセージの閲覧要求を受けた場合に、当該メッセージを含むメッセージ一覧を送信すればよい。
【００９８】
〔実施形態５〕
端末装置１およびサーバ２の各ブロックは、集積回路（ＩＣチップ）等に形成された論理回路（ハードウェア）によって実現してもよいし、ＣＰＵ（Central Processing Unit）を用いてソフトウェアによって実現してもよい。後者の場合、端末装置１またはサーバ２を図１３に示すようなコンピュータ（電子計算機）を用いて構成することができる。図１３は、端末装置１またはサーバ２として利用可能なコンピュータ１００の構成を例示したブロック図である。
【００９９】
コンピュータ１００は、図１３に示すように、バス１１０を介して互いに接続された演算装置１２０と、主記憶装置１３０と、補助記憶装置１４０と、入出力インターフェース１５０とを備えている。演算装置１２０、主記憶装置１３０、および補助記憶装置１４０は、それぞれ、例えばＣＰＵ、ＲＡＭ（random access memory）、ハードディスクドライブであってもよい。なお、主記憶装置１３０は、コンピュータ読み取り可能な「一時的でない有形の媒体」であればよく、例えば、テープ、ディスク、カード、半導体メモリ、プログラマブル論理回路などを用いることができる。
【０１００】
入出力インターフェース１５０には、入力装置２００および出力装置３００が接続される。端末装置１またはサーバ２の入力装置２００および出力装置３００は、ユーザの入力操作の受け付け、他の装置から送信されるデータの受信、および他の装置へのデータの送信を行う。
【０１０１】
補助記憶装置１４０には、コンピュータ１００を端末装置１またはサーバ２として動作させるための各種プログラムが格納されている。そして、演算装置１２０は、補助記憶装置１４０に格納された上記各プログラムを主記憶装置１３０上に展開し、主記憶装置１３０上に展開された上記各プログラムに含まれる命令を実行することによって、コンピュータ１００を、端末装置１またはサーバ２が備える各部として機能させる。
【０１０２】
なお、ここでは、内部記録媒体である補助記憶装置１４０に記録されている上記各プログラムを用いてコンピュータ１００を機能させる構成について説明したが、外部記録媒体に記録されているプログラムを用いてもよい。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１０３】
〔まとめ〕
本発明の態様１に係る制御装置（サーバ２）は、予め登録された登録情報の提示対象として予め登録されたグループのメンバーのうち、上記登録情報が提示されていないメンバーを特定する未提示者特定手段（未読者特定部４１）と、上記未提示者特定手段が特定したメンバーを示す未提示者特定情報を上記グループのメンバーの端末装置に出力させる出力制御手段（スケジュール管理部４０、電子掲示板管理部４２、メモ管理部４３）と、を備えている。
【０１０４】
上記の構成によれば、登録情報の提示対象であるグループのメンバーのうち、登録情報が提示されていないメンバーを特定し、該メンバーを示す未提示者特定情報を、該グループのメンバーの端末装置に出力させる。よって、登録情報の未提示者を、該グループのメンバーに容易に認識させることができる。
【０１０５】
なお、未提示者特定情報は、当該未提示者特定情報の示す未提示者を当該グループのメンバーの少なくとも何れかに認識させることができる態様で出力されればよく、その出力態様は特に限定されない。また、出力制御手段は、未提示者特定情報を端末装置に送信することによって、該端末装置に該未提示者特定情報を出力させてもよいし、未提示者を示す他の情報を端末装置に送信することによって、該端末装置に未提示者特定情報を出力させてもよい。つまり、端末装置に送信する情報と、端末装置が出力する情報とは同じであってもよいし、異なっていてもよい。例えば、端末装置に未提示者のＩＤを送信して、端末装置にそのＩＤを表示させてもよいし、端末装置にそのＩＤに対応するアバターを表示させてもよい。なお、上記制御装置は、登録情報を上記メンバーに提示するサーバとしての機能を有していてもよい。
【０１０６】
本発明の態様２に係る制御装置は、上記態様１において、上記出力制御手段は、上記未提示者特定手段が特定したメンバーを示し、該メンバーの少なくとも一人を上記登録情報に関するメッセージの送信先として指定するために用いることのできる送信先指定情報を上記端末装置に送信することにより、該端末装置に上記未提示者特定情報を出力させる構成であってもよい。
【０１０７】
上記の構成によれば、未提示者であるメンバーの少なくとも一人を送信先として指定するために用いることのできる送信先指定情報を送信するので、端末装置において未提示者をメッセージの送信先に指定することを容易にすることができる。例えば、未提示者に対して、登録情報の閲覧を促すメッセージを送信することも容易になる。また、送信先指定情報は、上記未提示者特定手段が特定したメンバーすなわち未提示者を示すから、端末装置に未提示者特定情報を出力させることができる。なお、送信先指定情報をそのまま未提示者特定情報として出力させてもよいし、送信先指定情報が示すメンバーを示す他の情報を未提示者特定情報として出力させてもよい。
【０１０８】
本発明の態様３に係る制御装置は、上記態様１または２において、上記出力制御手段は、上記登録情報が提示されたメンバーを示す既提示者特定情報を上記グループのメンバーの端末装置に出力させてもよい。
【０１０９】
上記の構成によれば、登録情報の提示対象であるグループのメンバーのうち、登録情報が提示されたメンバーを示す既提示者特定情報を出力させるので、登録情報の既提示者についても、当該グループのメンバーに容易に認識させることができる。
【０１１０】
本発明の態様４に係る制御装置は、上記態様１から３の何れかにおいて、上記端末装置から、上記登録情報に関するメッセージの送信先として選択されたメンバーが通知された場合に、上記グループのメンバーが閲覧可能な電子掲示板に上記メッセージを投稿することによって、該グループのメンバーに該メッセージを提示するメッセージ提示手段（電子掲示板管理部４２）を備えていてもよい。
【０１１１】
上記の構成によれば、メッセージの送信先として選択されたメンバーが通知された場合に、上記グループのメンバーが閲覧可能な電子掲示板に上記メッセージを投稿するので、各メンバーに電子掲示板を介して当該メッセージを閲覧させることができる。なお、電子掲示板を介した通知は、各メンバーが個々の都合に応じたタイミングで確認することができるという利点がある。また、未提示のメンバー以外にもメッセージが閲覧され得るので、電子掲示板を閲覧した他のメンバーから、未提示のメンバーへ口頭でメッセージが投稿されていることを伝達することも可能となる。
【０１１２】
本発明の態様５に係る制御装置は、上記態様４において、上記登録情報は、上記電子掲示板に投稿された情報であり、上記メッセージ提示手段は、上記電子掲示板において、上記登録情報と連続して表示されるように、上記メッセージを投稿してもよい。
【０１１３】
上記の構成によれば、登録情報と連続して表示されるようにメッセージを投稿するので、互いに関連する登録情報とメッセージとを容易に認識させ、また双方をスムーズに確認させることができる。なお、登録情報とメッセージとが連続して表示されるような投稿の方法は特に限定されず、例えば、上記メッセージの直前または直後に登録情報を再投稿してもよいし、上記登録情報を引用形式で含む上記メッセージを投稿してもよい。
【０１１４】
本発明の態様６に係る端末装置１は、予め登録された登録情報の提示対象として予め登録されたグループのメンバーのうち、上記登録情報が提示されていないメンバーを示す未提示者特定情報を取得する未提示者取得手段（スケジュール制御部２０、電子掲示板制御部２１、メモ制御部２２）と、上記未提示者取得手段が取得した未提示者特定情報を出力する未提示者出力手段（スケジュール制御部２０、電子掲示板制御部２１、メモ制御部２２）と、を備えている。この端末装置によれば、上記制御装置と同様の作用効果を奏する。
【０１１５】
本発明の態様７に係る端末装置は、上記態様６において、上記未提示者出力手段は、当該端末装置を使用するメンバーが、当該未提示者特定情報の示すメンバーの少なくとも一人を、上記登録情報に関するメッセージの送信先として選択できるように上記未提示者特定情報を表示する構成であってもよい。該構成によれば、未提示者をメッセージの送信先として容易に選択させることができる。
【０１１６】
本発明の態様８に係る端末装置は、上記態様７において、上記未提示者出力手段が表示した未提示者特定情報が選択されたときに、該未提示者特定情報の示すメンバーの少なくとも一人に対する上記メッセージを、上記グループのメンバーが閲覧可能な電子掲示板に投稿する投稿手段（電子掲示板制御部２１）を備えていてもよい。
【０１１７】
上記の構成によれば、選択された未読者特定情報の示すメンバーへのメッセージを電子掲示板に投稿させるので、各メンバーに電子掲示板を介して当該メッセージを閲覧させることができる。
【０１１８】
本発明の態様９に係る制御方法は、制御装置により端末装置を制御する制御方法であって、予め登録された登録情報の提示対象として予め登録されたグループのメンバーのうち、上記登録情報が提示されていないメンバーを特定する未提示者特定ステップ（Ｓ１５）と、上記未提示者特定ステップにて特定したメンバーを示す未提示者特定情報を上記グループのメンバーの端末装置に出力させる出力制御ステップ（Ｓ１６）と、を含む。この制御方法によれば、上記制御装置と同様の作用効果を奏する。
【０１１９】
本発明の態様１０に係る制御システム（情報提示システム３）は、予め登録された登録情報の提示対象として予め登録されたグループのメンバーによって使用される端末装置１と、上記グループのメンバーのうち、上記登録情報が提示されていないメンバーを特定し、該特定したメンバーを示す未提示者特定情報を上記端末装置に出力させる制御装置（サーバ２）と、を含む。この制御システムによれば、上記制御装置と同様の作用効果を奏する。
【０１２０】
本発明の各態様に係る制御装置および端末装置は、コンピュータによって実現してもよく、この場合には、コンピュータを上記制御装置および端末装置が備える各手段として動作させることにより上記制御装置および端末装置をコンピュータにて実現させる制御装置の制御プログラム、端末装置の制御プログラム、およびそのようなプログラムを記録したコンピュータ読み取り可能な記録媒体も、本発明の範疇に入る。
【０１２１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１２２】
本発明は、予め登録された登録情報を所定のグループのメンバーに提示する情報提示システムに利用することができる。
【符号の説明】
【０１２３】
１  端末装置
２０  スケジュール制御部（未提示者取得手段、未提示者出力手段）
２１  電子掲示板制御部（未提示者取得手段、未提示者出力手段、投稿手段）
２２  メモ制御部（未提示者取得手段、未提示者出力手段）
２  サーバ（制御装置）
４０  スケジュール管理部（出力制御手段）
４１  未読者特定部（未提示者特定手段）
４２  電子掲示板管理部（出力制御手段、メッセージ提示手段）
４３  メモ管理部（出力制御手段）
３  情報提示システム（制御システム）
【図１】
2015212854.tif 000003
【図２】
2015212854.tif 000004
【図３】
2015212854.tif 000005
【図４】
2015212854.tif 000006
【図５】
2015212854.tif 000007
【図６】
2015212854.tif 000008
【図７】
2015212854.tif 000009
【図８】
2015212854.tif 000010
【図９】
2015212854.tif 000011
【図１０】
2015212854.tif 000012
【図１１】
2015212854.tif 000013
【図１２】
2015212854.tif 000014
【図１３】
2015212854.tif 000015